(57)【要約】【課題】            水産物の種類、数量等の情報がリアルタイムで提供され、取引および生産能率を向上せしめる水産物の情報印字及び管理装置を提供する。【解決手段】        バーコードリーダ２の読み出したデータに基づき、シーケンサ４が、印字装置３を制御して梱包箱１１に印字を行う。シーケンサ４内のデータは、データ管理手段５に送られて、データが加工され、必要なデータが、コンベア１近傍の表示装置６に表示される。又、データ管理手段５のデータは、事務所に設けられたコンピュータ７に送られる。【選択図】          図１
2006188253.tif 000002
【特許請求の範囲】
【請求項１】
コンベア上に設けたバーコードリーダと、
前記バーコードリーダの読み出したデータに基づき、前記コンベア上の水産物を梱包した梱包箱に所定のデータを印字する前記コンベアに設けた印字装置と、
前記バーコードリーダと前記印字装置とを制御するシーケンサと、
前記シーケンサから前記バーコードリーダの読み出したデータを受信し、受信したデータを所定のデータ形式に加工するデータ管理手段と、
前記コンベア上での生産状況を表示するために、前記データ管理手段からの予め決めたデータを表示する表示装置と、
を少なくとも具備することを特徴とする水産物の情報印字及び管理装置。
【発明の詳細な説明】
【技術分野】
【０００１】
本発明は、水産物の情報印字及び管理装置に係わり、特に、水産物の梱包材への尾数等の情報印字を行う共に、生産した水産物を管理するための水産物の情報印字及び管理装置に関する。
【背景技術】
【０００２】
コンピュータを用いて、水産物の情報を管理する装置としては、例えば、特許文献１に示されたようなものが提案されている。
特許文献１は、漁獲した水産物を漁船上で検査すると共に、所定の処理を施し、検査結果等に基づく水産物商品情報や漁獲状況情報を船上から陸上の管理者端末や顧客端末に送信するように構成したものである。
しかしながら、上記した従来のものは、漁船から管理者端末等に水産物商品情報や漁獲状況情報を送信するように構成されているものの、尾数等の情報印字を効率化したものは、現在まで提案されていなかった。
【特許文献１】特開２００４−７８５７１号公報（要約）
【発明の開示】
【発明が解決しようとする課題】
【０００３】
本発明は、上記した点に鑑みてなされたものであり、その目的は、特に、水産物の梱包材への尾数等の情報印字を行う共に、生産した水産物を管理及び表示するための新規な水産物の情報印字及び管理装置を提供することにある。
【課題を解決するための手段】
【０００４】
本発明は、上記した目的を達成するために、基本的には、以下に記載されたような技術構成を採用するものである。
即ち、本発明に係わる水産物の情報印字及び管理装置は、コンベア上に設けたバーコードリーダと、前記バーコードリーダの読み出したデータに基づき、前記コンベア上の水産物を梱包した梱包箱に所定のデータを印字する前記コンベアに設けた印字装置と、前記バーコードリーダと前記印字装置とを制御するシーケンサと、前記シーケンサから前記バーコードリーダの読み出したデータを受信し、受信したデータを所定のデータ形式に加工するデータ管理手段と、前記コンベア上での生産状況を表示するために、前記データ管理手段からの予め決めたデータを表示する表示装置とを少なくとも具備することを特徴とするものである。
【発明の効果】
【０００５】
本発明の水産物の情報印字及び管理装置は、上記のように構成したので、バーコードリーダの読み出したデータに基づき、加工が終了した水産物を梱包した梱包箱に所定のデータを印字し、更に、コンベア近傍に生産状況を表示する表示装置を設けたので、水産物の生産状況の情報を常時知ることができ、取引および生産効率を飛躍的に向上することが出来る。
【発明を実施するための最良の形態】
【０００６】
本発明の水産物の情報印字及び管理装置について、図面を用いて詳細に説明する。
図１は、本発明の水産物の情報印字及び管理装置の構成を示すブロック図、図２（Ａ）（Ｂ）は、印字装置で印字される一具体例を示す図である。
図において、１はコンベア、２はコンベア１上に設けたバーコードリーダ、３は、バーコードリーダ２の読み出したデータに基づき、水産物を梱包した梱包箱１１に所定のデータを印字するためのコンベア１に設けた印字装置、４は、バーコードリーダ２と印字装置３とを制御するシーケンサ、５は、シーケンサ４からバーコードリーダ２の読み出したデータを受信し、蓄積すると共に、受信したデータを所定のデータ形式に加工するデータ管理手段であり、このデータ管理手段５は、コンピュータで構成されている。
６は、コンベア１での生産状況を表示するために、データ管理手段５からの予め決めたデータを表示するコンベア１近傍に設けた表示装置である。表示装置としては、液晶パネルやプロジェクターで表示幕に表示する等の手段を例示することができる。
又、７は、データ管理手段５からの各種の管理データを受信する事務所側に設けたコンピュータである。
【０００７】
コンベア１は、水産物を梱包した梱包箱１１を移動させる手段であり、従来公知のものでよい。バーコードリーダー２は、梱包箱１１に収納された水産物の情報を読み取るものである。この情報はバーコードを表示した表示カード１２になっている。この表示カード１２が梱包箱１１上に置かれ（貼付されていてもよい。）ており、この梱包箱１１がコンベア１により移動してバーコードリーダー２を通過するときに、読み取るようになっている。
印字装置は３は、前記バーコードリーダー２が読み取った情報（データ）に基づき、コンベア１により移動してきた梱包箱１１に所定の情報（データ）を印字する装置であり、例えば、インクジェットプリンターを例示することができる。
なお、本発明のコンベアの全長は、約２．５メートルであり、ベルトは、矢印Ａ方向に移動している。
【０００８】
次に、このように構成した水産物の情報印字及び管理装置の使用方法について、具体的に説明する。
水産物は、梱包箱１１に収納されており、コンベア１により移動される。このコンベア１上の梱包箱１１上に、製品の種類、数量等の情報を表示するためのバーコードを表示した表示カード１２が置かれ、梱包箱１１がコンベア１の所定の場所まで移動すると、バーコードリーダ２が、表示カード１２のバーコードを読み取る。
バーコードには、例えば、「一汐さんま  ７．５Ｋｇ  ２特  ５５尾」、「冷凍さんま  １０Ｋｇ  ２特  ６５尾」、「刺網生さんま  ２特  ２１尾」等の製品情報が記録されている。
【０００９】
そして、バーコードリーダ２が、表示カード１２のバーコードを読み取ると、読み取られたデータは、シーケンサ４で受信される。やがて、梱包箱１１がコンベア１の印字装置３近傍の所定の場所まで移動すると、シーケンサ４は、印字装置３を制御して、バーコードリーダ２が読み出したデータに基づき、所定の情報（データ）を梱包箱１１の所定の位置に、印字を行う。印字した状態の一例は、図２（Ａ）（Ｂ）に示されている。そして、印字が終了すると、梱包箱１１をコンベア１から下ろす。又、コンベア１を通過した製品のデータや履歴情報は、シーケンサ４に接続されている液晶パネルにリアルタイムに表示される。
更に、コンベア１での生産状況が、作業員及び管理者に一目瞭然に知らしめるように、シーケンサ４内のデータは、データ管理手段５に送られ、例えば、出来高や製造金額等の予め決められたデータが、リアルタイムにコンベア１近傍に設けた表示装置６に表示されるように構成している。表示装置６としてプロジェクターで天井に設けた表示幕に表示するようにすると、従業員は、液晶パネルまで行かなくても情報が得られる。
又、加工工場での生産状況は、事業所内のネットワークを介して、事務部門のコンピュータ７に送られ、事務部門でも、加工工場での生産状況が把握できるように構成されている。したがって、生産状況に応じて、適宜必要な指示が、営業部門等から工場に出すことも出来る。
なお、本発明ではシーケンサ４を用いたが、バーコードリーダ２、印字装置３を制御できれば、どのようなものでも良い。
【産業上の利用可能性】
【００１０】
本発明は、特に、水産物を管理、取引したり製造する会社、工場に好適である。
【図面の簡単な説明】
【００１１】
【図１】本発明の水産物の情報印字及び管理装置の構成を示すブロック図である。
【図２】印字装置で印字された２つの具体例を示す図（Ａ）（Ｂ）である。
【符号の説明】
【００１２】
１  コンベア
２  バーコードリーダ
３  印字装置
４  シーケンサ
５  データ管理手段（コンピュータ）
６  表示装置
７  コンピュータ
１１  梱包箱
１２  表示カード
【図１】
2006188253.tif 000003
【図２】
2006188253.tif 000004